(57)【要約】      （修正有）【課題】測定や観察のために被写体の画像を撮影するシステムの作業効率や安全性を向上させることができる画像表示システムを提供する。【解決手段】画像表示システムは、撮像部と、装着部とを具備する。撮像部は、被写体の画像である被写体画像Ｐを撮影する。装着部は、撮影された被写体画像Ｐを表示する表示部４０２と、ユーザ１０の目１１の近傍のユーザ１０の視野の少なくとも一部が確保される位置に表示部４０２を保持する保持部４０４とを有する。【選択図】図３
2015200742.tif 000002
【特許請求の範囲】
【請求項１】
被写体の画像である被写体画像を撮影する撮像部と、
前記撮影された被写体画像を表示する表示部と、ユーザの目の近傍の前記ユーザの視野の少なくとも一部が確保される位置に前記表示部を保持する保持部とを有する装着部と
を具備する画像表示システム。
【請求項２】
請求項１に記載の画像表示システムであって、さらに、
前記被写体の拡大像を生成する顕微鏡を具備し、
前記撮像部は、前記生成された拡大像を撮影する
画像表示システム。
【請求項３】
請求項１又は２に記載の画像表示システムであって、さらに、
前記撮影された被写体画像をもとに所定の測定を行う測定部を具備する
画像表示システム。
【請求項４】
請求項３に記載の画像表示システムであって、
前記測定部は、前記被写体の寸法および／または形状を測定する
画像表示システム。
【請求項５】
請求項１から４のうちいずれか１項に記載の画像表示システムであって、
前記表示部は、前記被写体画像に関する情報を表示する
画像表示システム。
【請求項６】
請求項１から５のうちいずれか１項に記載の画像表示システムであって、
前記保持部は、前記ユーザの片方の目の近傍に前記表示部を保持する
画像表示システム。
【請求項７】
請求項６に記載の画像表示システムであって、
前記保持部は、前記表示部が近傍に保持される前記片方の目の視野の半分以上が確保される位置に、前記表示部を保持する
画像表示システム。
【発明の詳細な説明】
【技術分野】
【０００１】
本発明は、例えば被写体の画像を撮影して測定や観測等をする際に利用可能な画像表示システムに関する。
【背景技術】
【０００２】
特許文献１に記載のように、ユーザの身体に装着されるウェアラブルコンピュータが知られている。特許文献１の図２には、ベルト部分に装着される小型コンピュータ５２と、小型コンピュータ５２と通信可能なヘッドセット５７が図示されている。ヘッドセット５７は、ヘッドマウントディスプレイである表示装置５６を有し、当該表示装置５６に、ホストコンピュータ１０で処理された測定データが表示される。これにより測定作業の作業効率を向上できるとともに、測定作業の状況も認識でき、正確な測定作業により良好な測定結果を得ることができる（特許文献１の明細書段落［０００６］［００２９］［００４０］［００４４］等）。
【先行技術文献】
【特許文献】
【０００３】
【特許文献１】特開２００３−２８６７５号公報
【発明の概要】
【発明が解決しようとする課題】
【０００４】
光学顕微鏡で得られた拡大像をデジタルカメラにより撮影するデジタル顕微鏡や、ＣＮＣ（Computer Numerical Control）画像測定機等の、被写体の画像を撮影して測定や観察等をするシステムが知られている。このようなシステムにおいても、作業効率の向上や、安全性の向上等が求められている。
【０００５】
以上のような事情に鑑み、本発明の目的は、測定や観察のために被写体の画像を撮影するシステムの作業効率や安全性を向上させることができる画像表示システムを提供することにある。
【課題を解決するための手段】
【０００６】
上記目的を達成するため、本発明の一形態に係る画像表示システムは、撮像部と、装着部とを具備する。
前記撮像部は、被写体の画像である被写体画像を撮影する。
前記装着部は、前記撮影された被写体画像を表示する表示部と、ユーザの目の近傍の前記ユーザの視野の少なくとも一部が確保される位置に前記表示部を保持する保持部とを有する。
【０００７】
この画像表示システムでは、ユーザの視野の少なくとも一部が確保される位置に被写体画像が表示される。これにより測定や観察のために被写体の画像を撮影するシステムにおいて、その作業効率や安全性を向上させることができる。
【０００８】
前記画像表示システムは、さらに、前記被写体の拡大像を生成する顕微鏡を具備してもよい。この場合、前記撮像部は、前記生成された拡大像を撮影してもよい。
本画像表示システムを用いることで、顕微鏡の焦点合わせ等を効率よく安全に行うことができる。
【０００９】
前記画像表示システムは、さらに、前記撮影された被写体画像をもとに所定の測定を行う測定部を具備してもよい。
本画像表示システムを用いることで、測定作業を効率よく安全に行うことができる。
【００１０】
前記測定部は、前記被写体の寸法および／または形状を測定してもよい。
本画像表示システムを用いることで、寸法や形状の測定に関する作業を効率よく安全に行うことができる。
【００１１】
前記表示部は、前記被写体画像に関する情報を表示してもよい。
これにより作業効率等を向上させることができる。
【００１２】
前記保持部は、前記ユーザの片方の目の近傍に前記表示部を保持してもよい。
片方の目の近傍に前記表示部が保持されるので、ユーザは効率よく安全に作業を行うことができる。
【００１３】
前記保持部は、前記表示部が近傍に保持される前記片方の目の視野の半分以上が確保される位置に、前記表示部を保持してもよい。
片方の目の視野の半分以上が確保されるので、ユーザは効率よく安全に作業を行うことができる。
【発明の効果】
【００１４】
以上のように、本発明によれば、測定や観察のために被写体の画像を撮影するシステムの作業効率や安全性を向上させることができる。なお、ここに記載された効果は必ずしも限定されるものではなく、本開示中に記載されたいずれかの効果であってもよい。
【図面の簡単な説明】
【００１５】
【図１】本発明の一実施形態に係る画像測定システムの構成例を示す概略図である。
【図２】本実施形態に係るＨＭＤの構成例を示す概略図である。
【図３】本実施形態に係るＨＭＤの構成例を示す概略図である。
【図４】ユーザの視野と、表示部の位置について説明するための模式的な図である。
【図５】本発明に係る画像表示システムの機能的な構成例を示す概略図である。
【図６】他の実施形態に係るＨＭＤの構成例を示す概略図である。
【図７】他の実施形態に係るＨＭＤの構成例を示す概略図である。
【発明を実施するための形態】
【００１６】
以下、本発明に係る実施形態を、図面を参照しながら説明する。
【００１７】
［画像測定システム］
図１は、本発明の一実施形態に係る画像測定システムの構成例を示す概略図である。画像測定システム３００は、非接触型の画像測定機１００と、この画像測定機１００を駆動制御すると共に必要なデータ処理を実行するＰＣ（Personal Computer）２００とを有する。
【００１８】
画像測定機１００は、試料移動手段である架台１１１と、架台１１１上に載置されるステージ１１２と、ステージ１１２の上方に配置される撮像ユニット１１４とを有する。
【００１９】
架台１１１はベース部１１５を有する。ベース部１１５は、Ｘ軸方向を短手方向とし、Ｘ軸方向に直交するＹ軸方向を長手方向とする主面１１６を有する。ベース部１１５の２つの長辺部には、上方（Ｚ軸方向）に延在する２つの支柱部１１３ａ及び１１３ｂが設置される。２つの支柱部１１３ａ及び１１３ｂの間には、Ｘ軸方向に延在するガイド部１１３ｃが設置される。
【００２０】
ステージ１１２は、被測定対象となるワークＷが載置される載置面１１７を有する。ステージ１１２は、この載置面１１７が水平方向と平行となるように架台１１１の主面１１６上に載置される。主面１１６には、ステージ１１２をＹ軸方向に移動させる図示しないＹ軸駆動機構が備えられている。ＰＣ２００によりＹ軸駆動機構が制御されることで、ステージ１１２がＹ軸方向に沿って移動される。Ｙ軸駆動機構の構成は限定されず、適宜設計されてよい。
【００２１】
撮像ユニット１１４は、Ｘ軸方向に延在するガイド部１１３ｃに取り付けられる。ガイド部１１３ｃには、図示しないＸ軸駆動機構が備えられている。ＰＣ２００によりＸ軸駆動機構が制御されることで、撮像ユニット１１４がＸ軸方向に沿って移動される。Ｘ軸駆動機構の構成は限定されず、適宜設計されてよい。
【００２２】
撮像ユニット１１４には、撮像部として機能するカメラ１１８が、ステージ１１２と対向するように装着される。カメラ１１８としては、例えばＣＭＯＳ（Complementary Metal Oxide Semiconductor）やＣＣＤ（Charge Coupled Devices）センサ等を有するものが用いられる。その他のカメラが用いられてもよい。
【００２３】
カメラ１１８は、ワークＷを被写体として、その被写体の画像である被写体画像を撮影する。カメラ１１８は、光軸方向であるＺ軸方向（合焦軸方向）に移動可能に設けられており、任意の焦点位置でワークＷの被写体画像を撮影することが可能である。
【００２４】
撮像ユニット１１４には、カメラ１１８をＺ軸方向に移動させる図示しないＺ軸駆動機構が備えられている。ＰＣ２００によりＺ軸駆動機構が制御されることで、カメラ１１８がＺ軸方向に沿って移動され、カメラ１１８の焦点位置が調整される。
【００２５】
焦点位置の調整を含むカメラ１１８の移動は、マウス等を介したユーザの操作をもとに手動で実行されてもよいし、例えばオートフォーカス（Auto Focus：以下ＡＦと記載する）の指示等により自動的に実行されてもよい。例えばある程度焦点が合う位置に手動でカメラ１１８が移動された後に、ＡＦの指示が入力される場合もあり得る。
【００２６】
画像測定機１００の種類は限定されない。ワークＷを撮影することで得られる被写体画像を用いて測定や観察等を実行するものであれば、どのような機器が用いられてよい。例えばＣＮＣ画像測定機、ＣＮＣ三次元測定機等の画像プローブ、硬さ試験機等が挙げられる。また光学顕微鏡で得られた拡大像をデジタルカメラにより撮影するデジタル顕微鏡においても本発明は適用可能である。
【００２７】
画像測定機１００として、デジタル顕微鏡が用いられる場合には、図１に示すカメラ１１８の位置には対物レンズが配置される。そしてその対物レンズを含む光学系にて拡大されたワークＷの像が、カメラにより撮影される。手動または自動により撮像ユニット１１４をＺ軸方向に移動させることで、光学顕微鏡の焦点位置を調整することができる。なお光学系等の調整により焦点位置が調整可能であってもよい。
【００２８】
カメラ１１８あるいは光学顕微鏡の焦点位置の調整は、撮像ユニット１１４のＺ軸方向での移動に限定されない。例えばカメラ１１８に設けられたレンズ等の光学系や、光学顕微鏡の光学系が調整されることで、焦点位置が移動されてもよい。
【００２９】
ＰＣ２００は、ＰＣ本体２２１と、キーボード２２２と、ジョイスティックボックス（以下、Ｊ／Ｓと記載する）２２３と、マウス２２４と、ディスプレイ２２５と、プリンタ２２６とを有する。キーボード２２２、Ｊ／Ｓ２２３、及びマウス２２４は、ユーザの指示が入力される操作入力部として機能する。ディスプレイ２２５としては、例えば液晶、ＥＬ（Electro-Luminescence）、ＣＲＴ（Cathode Ray Tube）等を用いた表示デバイスである。プリンタ２２６は、例えば測定結果等をプリントアウトすることが可能である。
【００３０】
ＰＣ本体２２１は、ＣＰＵ（Central Processing Unit）、ＲＯＭ（Read Only Member）、ＲＡＭ（Random Access Memory）、ＨＤＤ（Hard Disk Drive）、画像メモリ、表示制御部等を有する。またＰＣ本体２２１は、画像測定機１００やキーボード２２２、後述する眼鏡型ウェアラブルコンピュータ（ヘッドマウントディスプレイ：ＨＭＤ）等との接続のための、各種Ｉ／Ｆ（インタフェース）を有する。
【００３１】
ＲＯＭやＨＤＤには、画像測定システム３００、及び後述する画像表示システム用のソフトウェアを構成するプログラムが格納されている。ＣＰＵが、ＲＯＭやＨＤＤに格納されたプログラムをＲＡＭにロードして実行することにより、種々の処理が実行される。なおＰＣ本体２２１にソフトウェアをインストールする方法は限定されない。
【００３２】
例えばＣＰＵにより、所定のプログラムに従って、撮像ユニット１１４の制御や、被写体画像をもとにした所定の測定、測定結果の表示処理等が実行される。例えばカメラ１１８から転送された被写体画像に対して種々の画像処理が行われる。あるいは被写体画像をもとにワークＷの寸法および／または形状等が測定される。またＣＰＵにより、被写体画像や処理結果等がディスプレイ２２５に表示される。その他、画像測定システム３００の各デバイスを制御するための種々の処理や、被写体画像をもとにした種々の測定が実行される。測定の内容は限定されず、画像測定器１００の種類に応じて適宜定められる。
【００３３】
また本実施形態では、後述するように、ＣＰＵにより、被写体画像が眼鏡型ウェアラブルコンピュータへ送信される。例えばＰＣ本体２２１に、Ｂｌｕｅｔｏｏｔｈ（登録商標）やＷｉＦｉ等の無線通信機能が備えられており、当該無線通信機能により被写体画像の通信が行われる。その他の通信方法が用いられてもよい。
【００３４】
画像測定機１００及びＰＣ本体２２１は、例えばＵＳＢケーブル等を介して接続され、画像情報や制御情報等が相互に通信される。その他、無線や有線を含む任意の通信方法が用いられてよい。
【００３５】
［画像表示システム］
本実施形態では、図１に示す画像測定システム３００を利用する際に、本発明に係る画像表示システムが用いられる。画像表示システム４００は、眼鏡型ウェアラブルコンピュータ（以下、単にＨＭＤと記載する）４０１（図２参照）と、図１に示す撮像ユニット１１４と、ＰＣ本体２２１とを含む。すなわち画像測定システム３００に含まれる撮像ユニット１１４のカメラ１１８及びＰＣ本体２２１は、画像表示システム４００の撮像部及び測定部としても機能する。画像測定機１００としてデジタル顕微鏡が用いられる場合には、ワークＷの拡大像を生成する光学顕微鏡が、本発明に係る画像表示システム４００に含まれてもよい。
【００３６】
なお図１に示す構成、及び図２に示すＨＭＤ４０１により、本発明に係る画像表示システムの一実施例として、画像測定システム３００が実現されているとみなすこともできる。
【００３７】
図２及び図３は、本実施形態に係るＨＭＤ４０１の構成例を示す概略図である。図２及び図３に示すように、ＨＭＤ４０１は、カメラ１１８により撮影された被写体画像Ｐを表示する表示部４０２を含む制御本体部４０３と、表示部４０２をユーザ１０の目１１の近傍の位置に保持する保持部４０４とを有する。
【００３８】
図２に示すように、保持部４０４は、一般的な眼鏡と略等しい形状を有し、ユーザ１０の目１１を覆う位置に配置されるカバー部４０６と、カバー部４０６の両端に接続された固定アーム部４０７とを有する。カバー部４０６は、透明部材で形成され、その形状や具体的な材質等は限定されない。ユーザ１０の視力を矯正可能なレンズが、カバー部４０６として用いられてもよい。固定アーム部４０７は、ユーザ１０の両耳に固定される。
【００３９】
制御本体部４０３は、上方から見てＬ字形状を有し、片方の固定アーム部４０７に装着される側面部４１０と、カバー部４０６と対向するように配置される前面部４１１とを有する。本実施形態では、ユーザの右耳に固定される右固定アーム部４０７ａに側面部４１０が装着される。そしてユーザ１０の右目１１ａを覆う右カバー部４０６ａに対向する位置に前面部４１１が配置される。前面部４１１と右カバー部４０６ａとは、互いに当接してもよいし、離間してもよい。
【００４０】
制御本体部４０３の内部構成としては、表示部４０２と、ＣＰＵやＲＯＭ等からなる制御部と、カメラと、Ｉ／Ｆ部等が設けられている。なお図２では制御本体部４０３の外観のみが図示されており、図３では表示部４０２のみが模式的に図示されている。
【００４１】
表示部４０２は、例えば液晶、ＥＬ（Electro-Luminescence）等を用いた表示デバイスである。本発明に係る画像表示システム４００では、表示部４０２は、ユーザ１０の目１１の近傍の、ユーザ１０の視野の少なくとも一部が確保される位置に保持される。
【００４２】
本実施形態では、ユーザ１０の右目１１ａを覆う右カバー部４０６ａの上方かつ右固定アーム部４０７ａ側に、前面部４１１が配置される。表示部４０２は、この前面部４１１の右カバー部４０６ａと対向する位置に配置される。従って図２に示すように、ユーザ１０が保持部４０４を装着すると、表示部４０２は、ユーザ１０の右目１１ａの右斜め上の位置に保持されることになる（ユーザ１０から見た位置）。このように表示部４０２は、ユーザ１０の片方の目の近傍に保持される。
【００４３】
図４は、ユーザ１０の視野と、表示部４０２の位置について説明するための模式的な図である。ユーザ１０の視野とは、ユーザ１０が目視可能な範囲、言いかえればユーザ１０から見ることのできる範囲のことを意味する。例えばユーザ１０が目視することを希望する対象に視点が定められた場合に、その視点から見ることのできる範囲が視野となる。目視を希望する対象は、ある決まった定点等に限定されず、目の前に配置された大きな物体の全体形状等も含む。
【００４４】
図４では、右目１１ａと、右カバー部４０６ａと、右目１１ａの視野Ｅと、表示部４０２とが図示されている。図４では、視野Ｅの形状が楕円形状に図示されているが、もちろんこの形状に限定される訳ではない。
【００４５】
右目１１ａにより、ワークＷと、ワークＷに対向する位置に配置されたカメラ１１８が目視可能となっている。そして当該視野Ｅが確保される位置として、視野Ｅの右上の位置に表示部４０２が保持され、その位置にて被写体画像Ｐが表示される。これによりユーザ１０は、カメラ１１８で撮影された被写体画像Ｐを適宜確認しながら、撮像ユニット１１４の移動やワークＷの向きの調整等を効率よく安全に行うことが可能となる。
【００４６】
図４に示すような、視野Ｅの少なくとも一部が確保された位置に表示部４０２が保持された状態は、目視を希望する対象と表示部４０２に表示された被写体画像Ｐとが、同時に視野Ｅ内に収められた状態ともいえる。
【００４７】
制御本体部４０３が有する制御部は、表示部４０２やカメラ、Ｉ／Ｆ部の動作等を制御する。カメラは、ユーザの視点に合わせた画像を撮影することが可能である。Ｉ／Ｆ部は、ＰＣ本体２２１との通信を行うための通信モジュールや、ＵＳＢ端子等の他のデバイス等を接続するための端子部を有する。例えばＢｌｕｅｔｏｏｔｈ（登録商標）等の無線通信を行うための通信モジュールが装備される。このＩ／Ｆ部を介して、ＰＣ本体２２１から送信された被写体画像Ｐが受信される。
【００４８】
ＨＭＤ４０１は、本実施形態において装着部に相当する。ＰＣ本体２２１から送信された被写体画像Ｐを受信可能であるのならば、ＨＭＤ４０１の具体的な構成は上記で説明したものに限定されない。
【００４９】
図５は、本発明に係る画像表示システム４００の機能的な構成例を示す概略図である。画像測定機１００のカメラ１１８により被写体画像Ｐが撮影される。被写体画像Ｐの画像データがＰＣ本体２２１に送信され、本発明に係るソフトウェア４２０に出力される。ソフトウェア４２０は、被写体画像Ｐをもとに所定の測定を実行する。またソフトウェア４２０は、無線通信機能等を用いて、被写体画像Ｐの画像データをＨＭＤ４０１に送信する。ＨＭＤ４０１の表示部４０２には、受信した被写体画像Ｐが表示される。
【００５０】
ユーザ１０は、表示部４０２に表示された被写体画像Ｐを確認しつつ、カメラ１１８やワークＷ等を目視しながら、画像測定機１００を操作することができる。当該操作は、図１に示すＪ／Ｓ２２３等により行われ、操作情報はＰＣ本体２２１のソフトウェア４２０に入力される。ソフトウェア４２０は入力された操作情報をもとに、座標値等を含む制御情報を画像測定機１００に送信する。その制御情報をもとに、画像測定機１００の撮像ユニット１１４等が制御され、例えば焦点位置の調整等が実行される。
【００５１】
以上、本実施形態に係る画像表示システム４００では、ユーザ１０の視野Ｅの少なくとも一部が確保される位置に被写体画像Ｐが表示される。これにより測定や観察のためにワークＷの画像を撮影するシステム、すなわち図１に示す画像測定システム３００等において、その作業効率や安全性を向上させることができる。
【００５２】
例えば画像表示システム４００が用いられない場合、カメラ１１８により撮影された被写体画像Ｐはディスプレイ２２５のみに表示される。従ってシステムのオペレータ（ユーザ１０）は、ディスプレイ２２５に表示された被写体画像Ｐを逐一確認しながら、画像測定機１００の操作（カメラ１１８・ステージ１１２の移動や照明の調整等）を行わなければならない。
【００５３】
そうするとカメラ１１８や対物レンズ等とワークＷとを衝突させて、これらを破損させてしまう場合等が起こり得る。例えばワークＷの表面にピントを合わせる場合、オペレータはディスプレイ２２５に表示された被写体画像Ｐを確認しながら、焦点位置の調整等を行わなければならない。ピントが合っているか否かは、ディスプレイ２２５の画像を見なければ分からないからである。ディスプレイ２２５を確認するためには、カメラ１１８及びワークＷから目を離す必要があり、そのときに移動されたカメラ１１８や対物レンズがワークＷに衝突してしまう可能性がある。
【００５４】
このような衝突を回避しつつピントを合わせようとする場合、オペレータは画像測定機１００側のカメラ１１８とワークＷとの実際の距離と、ディスプレイ２２５上の被写体画像Ｐとを、顔を左右に動かしながら交互に何度も目視して確認しなければならない。このことは測定作業の効率を非常に悪くしてしまう。
【００５５】
本発明に係る画像表示システム４００では、撮像ユニット１１４で撮影されたカメラ画像（被写体画像Ｐ）が、視野Ｅの一部が確保されるように、オペレータに装着されたＨＭＤ４０１に表示される。従って、オペレータはカメラ画像と、実際のカメラ１１８及びワークＷとを同時に視野Ｅ内に収めることができる。これにより、オペレータは、カメラ画像の確認と画像測定１００の操作とを同時に実施することができる。この結果、上記した問題を解決することができ、測定作業を効率よく安全に行うことが可能となる。
【００５６】
＜その他の実施形態＞
本発明は、以上説明した実施形態に限定されず、他の種々の実施形態を実現することができる。
【００５７】
図６及び図７は、他の実施形態に係るＨＭＤの構成例を示す概略図である。このＨＭＤ５０１は、保持部として、カバー部が用いられない。すなわちＨＭＤ５０１は、右耳に固定される図示しない固定アーム部と、当該固定アーム部に装着される制御本体部５０３とを有する。そして制御本体部５０３の右目１１ａと対向する位置に表示部５０２が設けられる（図６では、表示部５０２が正面から見えるように模式的に図示されている）。このように片方の耳にのみ装着されるＨＭＤ５０１が用いられてもよい。図６に示すように、表示部５０２は、右目１１ａの視野の少なくとも一部が確保される位置に保持される。
【００５８】
表示部が保持される位置は限定されない。例えば図４に示すように、視野Ｅの右上部分に表示部が保持されてもよいし、右側の中央部分や、右下部分に保持されてもよい。その他の位置でもよいが、典型的には、顔の縁部側、すなわちもう一方の目とは反対側の位置に表示部は保持される。これによりカメラやワーク等を確実に目視することができる。
【００５９】
例えば表示部は、表示部が近傍に保持される片方の目の視野の半分以上が確保される位置に保持される。これによりカメラやワーク等を確実に目視することができる。その他、目視を希望する対象を十分に確認できるのであれば、表示部が保持される位置や、表示部の大きさ（被写体画像の大きさ）等は任意に設定されてよい。
【００６０】
図７に示すＨＭＤ６０１は、透明材料からなるカバー部６０６に重ね合わされるように表示部６０２が設けられている。表示部６０２は、右目１１ａの近傍として当該右目１１１ａの正面に、その視野の略全体を覆うように配置される。従って本例では、表示部６０２が近傍に保持される右目１１ａの視野は確保されていない。しかしながら、もう片方の左目１１ｂの視野（少なくとも一部でもよい）が確保されているので、目視を希望する対象を十分に確認することができる。これにより測定作業を効率よく安全に行うことができる。本発明に係る画像表示システムとして、このような構成も採用可能である。
【００６１】
すなわち本開示において、ユーザの視野の少なくとも一部が確保される状態となるには、ユーザのいずれか片方の目の視野の少なくとも一部が確保されていればよい。
【００６２】
ＨＭＤの表示部に、被写体画像に加えて、被写体画像に関する種々の情報が表示されてもよい。これらの情報は、例えばＰＣ本体等から送信される。被写体画像に関する情報としては、例えば表示されている被写体画像のコントラスト情報等がある。コントラスト情報が表示される場合、ユーザは、当該情報を確認しながら、焦点位置の調整を効率よく行うことができる。その他、ピントが合致した旨の情報や、被写体の種類、撮影されている部分等、種々の情報が、被写体画像に関する情報として表示されてよい。
【００６３】
表示部による被写体画像の表示の有無が、ユーザにより切り替え可能であってもよい。例えばＨＭＤの制御本体部に切り替えスイッチ等が備えられ、当該切り替えスイッチが操作されることで、視野内での被写体画像の表示の有無が切り替えられてもよい。あるいは音声入力により、被写体画像の表示の有無が切り替えられてもよい。
【００６４】
図５に示す画像測定機１００に、ＰＣ本体２２１の機能が備えられてもよい。すなわちカメラ１１８を有する画像測定機１００により、ＨＭＤ４０１への被写体画像Ｐの送信や、被写体画像Ｐをもとにした所定の測定が実行されてもよい。この場合、画像測定機１００及びＨＭＤ４０１により、本発明に係る画像表示システム（画像測定システム）が実現される。またＨＭＤ４０１に、被写体画像Ｐをもとにした所定の測定を実行可能な機能が備えられてもよい。
【００６５】
上記では、眼鏡型ウェアラブルコンピュータを例に挙げて説明を行った。一方で、ＰＣ本体等と通信可能な小型のコンピュータが、ユーザの腰や腕等の他の位置に装着されてもよい。そして当該小型コンピュータから転送された被写体画像が、ユーザの目の近傍に保持された表示部に表示されてもよい。
【００６６】
本発明に係る画像表示システムを用いることで、ディスプレイを省略することも可能となる。これによりディスプレイにかかるコスト等を削減することができる。また本発明に係る画像表示システムを用いることで、顕微鏡を覗き込む動作等を不要にすることも可能となる。これにより作業効率を向上させることができる。
【００６７】
以上説明した各形態の特徴部分のうち、少なくとも２つの特徴部分を組み合わせることも可能である。また上記で記載した種々の効果は、あくまで例示であって限定されるもの
ではなく、また他の効果が発揮されてもよい。
【符号の説明】
【００６８】
Ｐ…被写体画像
Ｗ…ワーク
１０…ユーザ
１１…目
１００…画像測定機
１１４…撮像ユニット
１１８…カメラ
２００…ＰＣ
２２１…ＰＣ本体
３００…画像測定システム
４００…画像表示システム
４０１、５０１、６０１…眼鏡型ウェアラブルコンピュータ（ＨＭＤ）
４０２、５０２、６０２…表示部
４０４…保持部
【図２】
2015200742.tif 000003
【図３】
2015200742.tif 000004
【図５】
2015200742.tif 000005
【図６】
2015200742.tif 000006
【図７】
2015200742.tif 000007
【図１】
2015200742.tif 000008
【図４】
2015200742.tif 000009